(57)【特許請求の範囲】
【請求項１】
汚物を受け入れるボウル部を有する便器と、この便器が取り付けられる取付壁と、汚物を一時的に溜めておく器具を洗浄するための器具洗浄水栓とを備える便器ユニットであって、
前記器具洗浄水栓は、前記ボウル部に向かって吐水する使用位置と、前記ボウル部後方に起立する非使用位置との間で回動可能なように構成され、
前記取付壁内には、前記ボウル部に洗浄水を供給し、前記ボウル部を洗浄した後の汚水を排出するための便器給排水部が設けられると共に、前記器具洗浄水栓に水を供給するための水栓給水部が設けられ、
前記取付壁の前記便器が取り付けられている部分の上方には前記便器給排水部及び前記水栓給水部の少なくとも一方を保守点検するための開口が形成され、この開口を開閉自在に覆う点検蓋が配置されており、
前記器具洗浄水栓と前記水栓給水部とは可撓性を有する給水管によって連結されるものであって、
前記器具洗浄水栓は前記点検蓋の表面側に取り付けられ、
前記点検蓋には、前記給水管を表面側から裏面側に通すことができると共に、前記開口を開くように前記点検蓋が位置する開位置と、前記開口を閉じるように前記点検蓋が位置する閉位置との間で前記点検蓋が動く際に、前記給水管も前記点検蓋の動きに伴って動くように給水管を保持することが可能な開口部が形成され、
前記給水管は、前記開口部を通って表面側から裏面側に至るように配置されていることを特徴とする便器ユニット。
【請求項２】
前記開口部は、その外周の一部が開閉可能に構成され、
前記開口部の外周の一部を閉じている場合には、前記開位置と前記閉位置との間で前記点検蓋が動く際に、前記給水管も前記点検蓋の動きに伴って動くことで前記点検蓋と前記開口の外周との間に挟まれないように保持することが可能である一方で、
前記開口部の外周の一部を開いている場合には、前記点検蓋に対する前記給水管の連動性を解除することが可能であることを特徴とする請求項１に記載の便器ユニット。
【発明の詳細な説明】
【技術分野】
【０００１】
本発明は、汚物を受け入れるボウル部を有する便器と、この便器が取り付けられる取付壁と、汚物を一時的に溜めておく器具を洗浄するための器具洗浄水栓とを備える便器ユニットに関する。
【背景技術】
【０００２】
直腸や膀胱に機能障害を負い、手術により人工的に腹部に排泄口を設けたオストメイトの人は、日本だけでも数十万人いると言われている。そのオストメイトの人々は、腹部に設けたストーマーと呼ばれる排泄口に便や尿を溜めておくためのパウチを装着している。このようなオストメイトの人々が外出先で便や尿を溜めておくためのパウチを洗浄する際や、病院などで尿瓶を洗浄する際には、専用の汚物流しを設けることが好ましいものの、そのような汚物流しを設置するにはスペースを必要とするため、設置されている施設が少ないのが現状である。
【０００３】
そこで、通常の便器に設置可能な水栓であって、パウチや尿瓶といった汚物を一時的に溜めておく器具を洗浄するための器具洗浄水栓が提案されている（例えば、下記特許文献１参照）。
【先行技術文献】
【特許文献】
【０００４】
【特許文献１】特開２００１−２２４５３２号公報
【発明の概要】
【発明が解決しようとする課題】
【０００５】
上記特許文献１に記載されている器具洗浄水栓及び便器は、その給排水管が露出した構造となっている。しかしながら、器具洗浄水栓及び便器への給排水管を、便器が取り付けられている取付壁の内部に納め、それら給排水管が露出しない構成の便器ユニットが求められる場合がある。
【０００６】
このように、器具洗浄水栓及び便器への給排水管を、便器が取り付けられている取付壁の内部に納める構造を採用すると、取付壁内部の給排水管を保守点検する必要がある。そのため、取付壁の一部に開口が形成され、この開口を開閉自在に覆う点検蓋が配置されるものである。
【０００７】
取付壁内部の給排水管を保守点検する部分は主に止水栓が設けられている部分であり、器具洗浄水栓や便器が設けられている部分の後方に相当する取付壁内に設けられるのが一般的であるため、開口及び点検蓋を設ける場所も器具洗浄水栓や便器が設けられている部分の後方に設けることが望ましいものである。一方で、汚物を一時的に溜めておく器具を洗浄するための器具洗浄水栓は、一般の水栓に比べて機能的に付加される要素が多く、重量も増えることになる。そのため、便器の後方に開口を設け点検蓋でその開口を開閉自在に覆うと共に、その点検蓋に器具洗浄水栓を設ければ、器具洗浄水栓の重量に起因して点検蓋が重くなり、その重くなった点検蓋を便器後方において取り回ししなければならず、必ずしも施工や保守点検が容易なものではなかった。
【０００８】
本発明はこのような課題に鑑みてなされたものであり、その目的は、汚物を受け入れるボウル部を有する便器と、この便器が取り付けられる取付壁と、汚物を一時的に溜めておく器具を洗浄するための器具洗浄水栓とを備える便器ユニットであって、便器と器具洗浄水栓とを適切な位置関係に配置できると共に、取付壁内の保守点検も容易に行うことができる便器ユニットを提供することにある。
【課題を解決するための手段】
【０００９】
上記課題を解決するために本発明に係る便器ユニットは、汚物を受け入れるボウル部を有する便器と、この便器が取り付けられる取付壁と、汚物を一時的に溜めておく器具を洗浄するための器具洗浄水栓とを備える便器ユニットであって、前記器具洗浄水栓は、前記ボウル部に向かって吐水する使用位置と、前記ボウル部後方に起立する非使用位置との間で回動可能なように構成され、前記取付壁内には、前記ボウル部に洗浄水を供給し、前記ボウル部を洗浄した後の汚水を排出するための便器給排水部が設けられると共に、前記器具洗浄水栓に水を供給するための水栓給水部が設けられ、前記取付壁の前記便器が取り付けられている部分の上方には前記便器給排水部及び前記水栓給水部の少なくとも一方を保守点検するための開口が形成され、この開口を開閉自在に覆う点検蓋が配置されており、前記器具洗浄水栓と前記水栓給水部とは可撓性を有する給水管によって連結されるものであって、前記器具洗浄水栓は前記点検蓋の表面側に取り付けられ、前記点検蓋には、前記給水管を表面側から裏面側に通すことができると共に、前記開口を開くように前記点検蓋が位置する開位置と、前記開口を閉じるように前記点検蓋が位置する閉位置との間で前記点検蓋が動く際に、前記給水管も前記点検蓋の動きに伴って動くことで前記点検蓋と前記開口の外周との間に挟まれないように保持することが可能な給水管保持手段が形成されていることを特徴とする。
【００１０】
本発明に係る便器ユニットによれば、取付壁の便器が取り付けられている部分の上方には便器給排水部及び水栓給水部の少なくとも一方を保守点検するための開口が形成され、この開口を開閉自在に覆う点検蓋が配置されているので、便器給排水部及び水栓給水部の少なくとも一方を便器後方の最適な位置に配置できることに加えて、そのように適切配置された便器給排水部及び水栓給水部の少なくとも一方を容易に点検することができる。また、点検蓋の表面側には器具洗浄水栓が取り付けられているので、便器に対して適切な位置に器具洗浄水栓を配置することができる。器具洗浄水栓と水栓給水部とは可撓性を有する給水管によって連結されているので、点検蓋を開閉する際にも給水管が妨げとなることなく自在に開閉することができる。更に、点検蓋には給水管保持手段が形成されているので、給水管を表面側から裏面側に通すことができ、他の取付壁に貫通穴などを設けることなく給水管を取付壁の裏側に送り込むことができる。また、給水管保持手段は、点検蓋が開位置と閉位置との間で動く際に、給水管も点検蓋の動きに伴って動くように構成されており、点検蓋と開口の外周との間に給水管が挟まれないように構成されているので、取付壁内の保守点検を一人の作業者が行う場合や、点検蓋が開口から完全に離脱することが可能なように構成されている場合であっても、給水管を挟むことなく容易に保守点検を行うことができる。
【００１１】
また本発明に係る便器ユニットでは、前記給水管保持手段は、前記点検蓋の表面側から裏面側に貫通するように形成された開口部であって、前記給水管はこの開口部を通って表面側から裏面側に至るように配置されていることも好ましい。
【００１２】
この好ましい態様では、給水管保持手段を、点検蓋の表面側から裏面側に貫通するように形成された開口部によって構成し、給水管は開口部を通って表面側から裏面側に至るように配置されている。従って、点検蓋に穴やクランク状の切り込みといった開口部を設けるという簡単な手段で、給水管を挟むことなく容易に保守点検を行うことができる。
【００１３】
また本発明に係る便器ユニットでは、前記開口部は、その外周の一部が開閉可能に構成され、前記開口部の外周の一部を閉じている場合には、前記開位置と前記閉位置との間で前記点検蓋が動く際に、前記給水管も前記点検蓋の動きに伴って動くことで前記点検蓋と前記開口の外周との間に挟まれないように保持することが可能である一方で、前記開口部の外周の一部を開いている場合には、前記点検蓋に対する前記給水管の連動性を解除することが可能であることも好ましい。
【００１４】
この好ましい態様では、開口部は、その外周の一部が開閉可能に構成されており、開口部の外周の一部を開いている場合には点検蓋に対する給水管の連動性を解除することが可能であるので、器具洗浄水栓を取り替える場合のように給水管を点検蓋から引き離す必要がある場合にも容易に対応することができる。
【発明の効果】
【００１５】
本発明によれば、便器と器具洗浄水栓とを適切な位置関係に配置できると共に、取付壁内の保守点検も容易に行うことができる便器ユニットを提供することができる。
【図面の簡単な説明】
【００１６】
【図１】本発明の実施形態に係る便器ユニットを示す斜視図である。
【図２】本発明の実施形態に係る便器ユニットを示す正面図である。
【図３】本発明の実施形態に係る便器ユニットを示す正面図である。
【図４】本発明の実施形態に係る便器ユニットを示す側面図である。
【図５】変形例に係る点検蓋を示す図である。
【発明を実施するための形態】
【００１７】
以下、添付図面を参照しながら本発明の実施の形態について説明する。説明の理解を容易にするため、各図面において同一の構成要素に対しては可能な限り同一の符号を付して、重複する説明は省略する。
【００１８】
本発明の実施形態に係る便器ユニットについて図１を参照しながら説明する。図１は、便器ユニットＣＵを示す斜視図である。図１に示すように、便器ユニットＣＵは、大便器１０と、取付壁２０と、器具洗浄水栓３０とを備えている。
【００１９】
大便器１０は、汚物を受け入れるボウル部１０１を有しており、取付壁２０に取り付けられている。取付壁２０は、建築躯体の壁面に沿って設置される背面キャビネット２の、建築躯体の壁面とは反対側の壁を構成するものである。
【００２０】
器具洗浄水栓３０は、汚物を一時的に溜めておく器具（パウチや尿瓶など）を洗浄するための水栓であって、点検蓋２５の表面側に取り付けられている。器具洗浄水栓３０は、スパウト３０１が、ボウル部１０１に向かって吐水する使用位置（図１に示す位置）と、ボウル部１０１後方に起立する非使用位置との間で回動可能なように構成されている。器具洗浄水栓３０には、器具洗浄水栓３０に給水しスパウト３０１から吐水させるための給水管４０が繋がれている。給水管４０は可撓性を有する管路であって、例えば樹脂製のホースに金属製の網状被覆を設けたものが用いられる。給水管４０は点検蓋２５に設けられた貫通穴２５１（開口部）を通っており、点検蓋２５の表面側から裏面側へ貫通するように配置されている。
【００２１】
点検蓋２５は、取付壁２０の開口２０１を開閉自在に覆う蓋であって、器具洗浄水栓３０と背もたれ３５とが取り付けられている。取付壁２０内には、ボウル部１０１に洗浄水を供給し、ボウル部１０１を洗浄した後の汚水を排出するための便器給排水部（図１においては明示しない）と、器具洗浄水栓３０に水を供給するための水栓給水部（図１においては明示しない）とが設けられている。開口２０１は、便器給排水部及び水栓給排水部を保守点検するための開口部である。
【００２２】
器具洗浄水栓３０のスパウト３０１が、ボウル部１０１後方に起立する非使用位置に回動した状態を図２に示す。図２は、便器ユニットＣＵの正面図である。図２に示す状態から、点検蓋２５を取り外して、開口２０１を開いた状態を図３に示す。更に、図３に示す状態の側面図を図４に示す。
【００２３】
図３及び図４に示すように、背面キャビネット２の内部には、便器給排水部５０と水栓給水部５５とが設けられている。便器給排水部５０は、大便器１０のボウル部１０１に洗浄水を供給し、ボウル部１０１を洗浄した後の汚水を排出するものである。具体的には、給水管、排水管、フラッシュバルブ等で構成されている。水栓給水部５５は、器具洗浄水栓３０に水を供給するための部分である。具体的には、給水管、止水栓等で構成されている。なお、フラッシュバルブに分岐金具を設置して給水管を接続しても良い。
【００２４】
図３及び図４に示すように、点検蓋２５を取り外すと、便器給排水部５０及び水栓給水部５５の保守点検を容易に行うことができる。点検蓋２５には開口部としての貫通穴２５１が設けられており、給水管４０は、点検蓋２５の表面側から裏面側へ貫通するように配置されている。従って、点検蓋２５を取り外したり、開口２０１を塞ぐように嵌め込んだりすると、その動きに伴って給水管４０も動くように構成されている。そのため、点検蓋２５と開口２０１との間に給水管４０が挟まれ難くなり、一人で施工したり保守点検したりするような場合であっても、給水管４０の取り回しが非常に容易なものとなる。このように本実施形態では給水管保持手段を、点検蓋２５の表面側から裏面側に貫通するように形成された開口部としての貫通穴２５１によって構成し、給水管４０は貫通穴２５１を通って表面側から裏面側に至るように配置されている。従って、点検蓋２５に穴という簡便な開口部を設けることで、給水管４０を挟むことなく容易に保守点検を行うことができる。
【００２５】
上述したような本実施形態に係る便器ユニットＣＵによれば、取付壁２０において大便器１０が取り付けられている部分の上方に、便器給排水部５０及び水栓給水部５５の少なくとも一方を保守点検するための開口２０１を形成し、この開口２０１を開閉自在に覆う点検蓋２５が配置されているので、便器給排水部５０及び水栓給水部５５の少なくとも一方を便器後方の最適な位置に配置できることに加えて、そのように適切配置された便器給排水部５０及び水栓給水部５５の少なくとも一方を容易に点検することができる。また、点検蓋２５の表面側には器具洗浄水栓３０が取り付けられているので、大便器１０に対して適切な位置に器具洗浄水栓３０を配置することができる。器具洗浄水栓３０と水栓給水部５５とは可撓性を有する給水管４０によって連結されているので、点検蓋２５を開閉する際にも給水管４０が妨げとなることなく自在に開閉することができる。更に、点検蓋２５には給水管保持手段としての貫通穴２５１が形成されているので、給水管４０を表面側から裏面側に通すことができ、取付壁２０の他の部分に貫通穴などを設けることなく給水管４０を取付壁２０の裏側に送り込むことができる。また、給水管保持手段としての貫通穴２５１は、点検蓋２５が開位置と閉位置との間で動く際に、給水管４０も点検蓋２５の動きに伴って動くように給水管４０を保持するように構成されており、点検蓋２５と開口２０１の外周との間に給水管４０が挟まれないように構成されている。従って、取付壁２０内の保守点検を一人の作業者が行う場合や、本実施形態のように点検蓋２５が開口から完全に離脱することが可能なように構成されている場合であっても、給水管４０を挟むことなく容易に保守点検を行うことができる。
【００２６】
尚、本実施形態では、建築躯体の壁に背面キャビネット２を取り付けて、建築躯体の壁から取付壁２０を離隔させて便器給排水部５０及び水栓給水部５５を収める領域を確保したが、建築躯体の壁を取付壁２０となして建築躯体内に便器給排水部５０及び水栓給水部５５を収めることも好ましい態様である。
【００２７】
上述した本実施形態では、点検蓋２５に貫通穴２５１を設けることで給水管保持手段としての開口部を形成したけれども、給水管保持手段としての開口部の態様はこれに限られるものではない。例えば、点検蓋２５の外周部分からクランク状に切り込みをいれて、そのクランク状の切り込みに沿って給水管４０を嵌め込むようにすることも好ましい態様である。このように構成すれば、給水管４０を器具洗浄水栓３０や水栓給水部５５から取り外すことなく、点検蓋２５から離脱させることができる。
【００２８】
点検蓋２５からの給水管４０の離脱性に着目した別の変形例としての点検蓋２５ａを図５に示す。図５に示す例では、開口部として機能する切込み２５１ａ及びストッパー２５２ａは、その外周の一部であるストッパー２５２ａが開閉可能に構成されている。開口部の外周の一部であるストッパー２５２ａを閉じている場合には、点検蓋２５ａがその開位置と閉位置との間で動く際に、給水管４０も点検蓋２５ａの動きに伴って動くことで点検蓋２５ａと開口２０１の外周との間に挟まれないように保持することが可能である。一方で、開口部の外周の一部であるストッパー２５２ａを開いている場合には、点検蓋２５ａに対する給水管４０の連動性を解除することが可能である。なお、切込み２５１ａは点検蓋２５の外周部であれば何処に設けられてもよく、図示した位置に限定されるものではない。
【００２９】
点検蓋２５ａの具体的な構成は、点検蓋２５ａの下端２５ａａから反対側の上端２５ａｂに向って切り込みを入れるようにして切込み２５１ａを形成し、その切込み２５１ａを形成した下端２５ａａの部分を閉じるようにストッパー２５２ａを設けている。ストッパー２５２ａは、その端部に設けられた回動軸２５３ａを中心として回動可能なように形成されており、点検蓋２５ａの下端２５ａａに沿った位置に保持されることで給水管４０を保持可能なように構成されている。図中二点鎖線で示すようにストッパー２５２ａを開放すると、点検蓋２５から給水管４０を離脱させることができ、点検蓋２５ａに対する給水管４０の連動性を解除することが可能である。
【００３０】
この例では、開口部として機能する切込み２５１ａ及びストッパー２５２ａは、その外周の一部であるストッパー２５２ａが開閉可能に構成されており、開口部の外周の一部として機能するストッパー２５２ａを開いている場合には点検蓋２５ａに対する給水管４０の連動性を解除することが可能であるので、器具洗浄水栓３０を取り替える場合のように給水管４０を点検蓋２５ａから引き離す必要がある場合にも容易に対応することができる。
【００３１】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００３２】
２：背面キャビネット
１０：大便器
２０：取付壁
２５：点検蓋
３０：器具洗浄水栓
４０：給水管
５０：便器給排水部
５５：水栓給水部
１０１：ボウル部
２０１：開口
２５１：貫通穴
３０１：スパウト
ＣＵ：便器ユニット
【図１】
0005585862.tif 000002
【図２】
0005585862.tif 000003
【図３】
0005585862.tif 000004
【図４】
0005585862.tif 000005
【図５】
0005585862.tif 000006